(57)【要約】【課題】  本発明は衛生洗浄装置用表示部において、表示部における表示灯による点灯表示方法を工夫することにより、従来と比較して少ない数の表示灯で、より多くの設定レベルの表示することが可能である表示部を提供することを目的とする。【解決手段】  水勢が一番弱いレベル１の場合の表示は、表示灯１ａが点灯する。水勢レベルをひとつ上げレベル２の場合は表示灯１ａと表示灯１ｂが点灯する。そして水勢レベルが３の場合は表示灯１ｃのみが点灯する。このように水勢レベルを上昇、下降させるにあたり、レベルがひとつ変化するごとに、変化前の設定を表示する表示灯に加え、変化させた側の表示灯を１つ点灯させ表示し、またさらに１レベル変化させると、変化させた側と反対の表示灯を消灯させる段階表示を行なうものとした。【選択図】  図１
2005179961.tif 000002
【特許請求の範囲】
【請求項１】
マイコンと、前記マイコンで制御される負荷駆動装置と、前記負荷駆動装置の設定を複数の設定レベルから選択する操作部と、前記複数の設定レベルを複数連設された表示灯にて点灯表示する表示部とを備えてなり、前記表示部は、前記設定レベルを現在の設定から１レベル変化させると変化前の設定を表示する表示灯と変化させた側に隣接する表示灯を点灯させる表示状態、またさらに１レベル変化させると前記隣接する表示灯のみを点灯させる表示状態とを、交互になす段階表示を行なうことを特徴とする衛生洗浄装置。
【請求項２】
本体と、本体に内蔵されるマイコンと、前記マイコンで制御される負荷駆動装置と、前記負荷駆動装置の設定を複数の設定レベルから選択する操作部と、前記複数の設定レベルを複数連設された表示灯にて点灯表示する表示部とを備え、前記表示部の表示灯の数が前記設定レベルより２少ない場合において、前記操作部にて前記設定レベルの最小又は最大に設定したときに、前記表示部の最小レベル又は最大レベルを示す表示灯を点滅させることを特徴する衛生洗浄装置。
【請求項３】
前記表示部及び操作部が、衛生洗浄装置本体とは別体のリモコン装置に設けられていることを特徴とする請求項１又は２に記載の衛生洗浄装置。
【発明の詳細な説明】
【技術分野】
【０００１】
本発明は、衛生洗浄装置の設定レベルを表示する表示部に関するものである。
【背景技術】
【０００２】
従来の衛生洗浄装置において諸機能の設定レベルを表示する表示部の点灯表示パターンは図８に示すようなものが知られている。図８に示すように、表示部４１には、表示灯４ａ〜４ｅとして、例えばLEDが配列されており、一つの設定レベルに対しLEDが１個点灯し、現在の設定レベルを表示している。そして、機能の設定を変えると、それに応じて点灯する表示灯が変化する。すなわち、設定レベルが一つ変わると、それに応じて一つ隣の表示灯が点灯するのである。
【０００３】
このような表示方法は、図６に示すような諸機能を実行する機能部を備えた衛生洗浄装置本体に連なる袖操作部を有する衛生洗浄装置において、一般的に使用されている。
また、特許文献１に示すような、リモコン装置により動作指令を出力する形式の衛生洗浄装置であっても、このような表示方法が採用されている。
【特許文献１】特開平１１−０８１４１９号公報
【発明の開示】
【発明が解決しようとする課題】
【０００４】
上述したような表示部には、設定が可能なレベルの数と同じ数の表示灯を用意することが必要である。さらに設定が可能で、設定を表示させたい駆動負荷が多いほど、その負荷の数だけ表示部が必要になる。そのため、細かい設定機能を有するほど、表示灯の数は増えコストがかかっていた。また、表示灯の数が多いほど、表示部のプリント配線基板において多くの表示灯の実装スペースを要するという問題点もあった。
【０００５】
また、近年は、リモコン装置を有する衛生洗浄装置が、各メーカーの主力機種となりつつある。従来は、各機種ごとに異なるリモコン装置を設計していたため、上述したような表示方法を採用することができていた。しかし、コストダウンのために、リモコン装置を機種によらず共通化することが要望されてきている。しかし、衛生洗浄装置の各機種ごとに設定が可能なレベルの数が異なることがあり、その場合、設定可能なレベルの数と表示部の表示灯４ａ〜４ｅの数が合わないと、表示が正しく行なえないという問題も生じうる。
【０００６】
本発明は上記した問題点を解決するためになされたもので、前記表示部における表示灯による点灯表示方法を工夫することにより、設定レベルを、その設定レベルの数よりも少ない数の表示灯で表示することが可能な表示部を提供することを目的とする。
【課題を解決するための手段】
【０００７】
本発明の請求項１では、マイコンと、前記マイコンで制御される負荷駆動装置と、前記負荷駆動装置の設定を複数の設定レベルから選択する操作部と、前記複数の設定レベルを複数連設された表示灯にて点灯表示する表示部とを備えてなり、前記表示部は、前記設定レベルを現在の設定から１レベル変化させると変化前の設定を表示する表示灯と変化させた側に隣接する表示灯を点灯させる表示状態、またさらに１レベル変化させると前記隣接する表示灯のみを点灯させる表示状態とを、交互になす段階表示を行なうことを特徴とする。これにより実装する表示灯の数量を減らすことができるため、プリント配線基板における表示灯を含めた駆動回路分の実装スペース、また表示灯、駆動回路部品のコストを削減することが可能であり、表示部そのものの小型化、ひいては製品の小型化に寄与することも可能となる。
【０００８】
また、請求項２では、本体と、本体に内蔵されるマイコンと、前記マイコンで制御される負荷駆動装置と、前記負荷駆動装置の設定を複数の設定レベルから選択する操作部と、前記複数の設定レベルを複数連設された表示灯にて点灯表示する表示部とを備え、前記表示部の表示灯の数が前記設定レベルより２少ない場合において、前記操作部にて前記設定レベルの最小又は最大に設定したときに、前記表示部の最小レベル又は最大レベルを示す表示灯を点滅させることを特徴する。これによれば、例えば操作部が同一で、操作部の表示レベルと負荷駆動装置の設定レベルが２レベル違っても、操作部を同一のものを使用することができる。
【０００９】
また、請求項３は、前記表示部及び操作部が、衛生洗浄装置本体とは別体のリモコン装置に設けられていることを特徴とするものである。これにより、異なる設定レベルを持つ衛生洗浄装置本体に対して、リモコン装置を共通化させた仕様にすることができ、さらに複数の衛生洗浄装置請求項１や２の効果を奏することができる。
【発明の効果】
【００１０】
本発明によれば、衛生洗浄装置の負荷駆動装置の設定レベル数よりも、操作部の設定レベル数が少なくても、少ない数の表示灯で設定状態を表示することが可能となる。
【発明を実施するための最良の形態】
【００１１】
以下に図面を参照して本発明をより具体的に説明する。
【００１２】
図１は本発明の衛生洗浄装置用表示部の第一実施例の設定レベル表示における点灯方法である。
【００１３】
表示部２４は、図２に示すように例えば操作パネル２１に設けた水勢調節の強弱スイッチ２２，２２を操作することにより、設定に対応した洗浄水の水勢の表示を、複数連設させた表示灯２３の点灯状態を遷移させて行なうものである。
【００１４】
図１により、その点灯遷移状態を説明する。図１において水勢が一番弱いレベル１の場合の表示は、表示灯１ａが点灯する。水勢レベルをひとつ上げレベル２の場合は表示灯１ａとそれに隣接する表示灯１ｂが同時点灯する。そして水勢レベルが３の場合は表示灯１ｂのみが点灯する。以降、レベルを上げるごとに、この表示動作を繰り返す。そして、この水勢の設定レベルを変化させると、図示せぬマイコンからの制御信号を受けた負荷駆動装置（この場合、水勢調節バルブの駆動モータ）を駆動させて、設定された水勢となるように調節バルブを制御する。
また反対に、レベルを下げる場合においても、水勢が一番強いレベル９の場合の表示は、表示灯１ｅが点灯する。水勢レベルをひとつ下げレベル８の場合は表示灯１ｅと表示灯１ｄが点灯する。そして水勢レベル７の場合は表示灯１ｄのみが点灯する。以降、レベルを下げるごとに、この表示動作を繰り返す。
【００１５】
このように水勢レベルを上昇、下降させるにあたり、レベルがひとつ変化するごとに、変化前の設定を表示する表示灯に加え、変化させた側に隣接する表示灯を１つ点灯させ表示し、またさらに１レベル変化させると、変化させた側と反対の表示灯を消灯させて前記した隣接する表示灯のみを点灯させる表示を交互に繰り返す段階表示を行なうものとなっている。
【００１６】
図３は衛生洗浄装置用表示部の断面図である。それぞれの表示灯３１は例えばLEDであり、衛生洗浄装置のケーシング３２内部に収められた基板３３の上面に配列される。表示灯３１上部のケーシング３２には投光窓３４が設けられており、表示灯３１の光は外部に放出されるようになっている。
【００１７】
ＬＥＤと表示レベルの数は、LEDの数をＮとすれば、表示可能レベル数Ｎ’は（Ｎ×２−１）で求められ、例えば、表示灯を５つ有している表示部においては、上記の方法で点灯させることで９レベル分の表示が可能となる。
【００１８】
よって、図１のように、設定レベル表示の表示灯の点灯を組み合わせることにより、例えば設定レベルを多く持つ衛生洗浄装置の表示部において、少ない基板スペースで、効率的に設定レベル表示をするにあたり好適である。
【００１９】
図４は、本発明の第２実施例である。本体の水勢レベルが７レベルで、表示灯の表示レベルが５である場合、水勢が一番弱いレベル１の場合、表示灯７ａが点滅する。水勢レベルをひとつ上げレベル２の場合は、表示灯７ａが点灯する。また、水勢が一番強いレベル７の場合は、表示灯７ｅが点滅し、水勢レベルをひとつ下げレベル６にした場合は、表示灯７ｅが点灯する。他の水勢レベルの場合は、点灯表示である。この実施例では、最小あるいは最大の水勢レベルの表示を、それらより１つ上あるいは下の設定レベルの場合に点灯する表示灯と同じ表示灯を点滅状態とするため、使用者にとってわかりやすい表示となる上且つ違和感無く使用することが出来る。
【００２０】
なお、この第２実施例の変形例として次のような表示も考えられる。最小あるいは最大レベルに設定した場合、最初の数秒間は表示灯を点滅させ、所定時間後は点灯にするのである。これでも、設定時に点滅するので、設定レベルを代えても同じ表示灯が点灯している（図５参照）だけよりは、自分で設定調節したレベルの確認が容易に行える。
【００２１】
以上説明したように、実装する表示灯を削減してなお、目的とする設定レベルの表示の表示レベル数を増やすことができ、コスト、占有基板スペースが削減できる。
【００２２】
各実施例では、表示灯が５つの場合における水勢レベル表示に対応できる表示例を示したが、表示灯の数量を限定するものではない。
表示灯についてはＬＥＤのみならず、ネオンランプ、またＬＣＤにおける液晶表示でもよい。
【００２３】
表示には水勢表示の他に、洗浄水の温度設定などその他の設定レベル表示においても問題ないことは、言うまでもない。
【００２４】
さらに、上述した表示部及び操作部は、図６のように衛生洗浄装置本体の袖操作部に設けた例を示したが、図７に示す衛生洗浄装置に付属する本体とは別体の操作部を備えたリモコン装置６２に設けられた表示部における表示方法でもよい。リモコン装置の表示部を本発明のようにすれば、異なる設定レベルを持つ衛生洗浄装置本体に対して、リモコン装置を共通化させた仕様にすることができ、量産性が高まるので、コストダウンすることができる。なお、いずれの形態であっても、マイコンと、マイコンで制御される負荷駆動装置は、衛生洗浄装置本体内に内蔵されている。
【００２５】
以上説明したように本発明の衛生洗浄装置用表示部は、表示灯の数をＮとすると、（Ｎ×２−１）段階のレベル表示をすることになり、目的とする表示レベル数に対して、実装する表示灯の数量を減らすことができるため、プリント配線基板における表示灯を含めた駆動回路分の実装スペース、また表示灯、駆動回路部品のコストを削減することが可能であり、前記衛生洗浄装置のコストも減少することとなる。また、表示部そのもの、ひいては製品全体の小型化に寄与することも可能となる。
【００２６】
また第２の実施例では、図４のように、本体の水勢レベルが、表示灯の表示レベルより２多い場合、水勢が一番弱いレベルと、水勢が一番強いレベルの場合は、点灯可能な最小と最大の表示レベルを点滅させ対応させ、水勢レベル７と水勢レベル５の本体と共用の操作部ができることになる。また、特に操作部がリモコンである場合は、使用者が最初に水勢レベル５の本体を設置しており、後々水勢レベル７の本体に交換する場合、水勢レベル５の本体に付属していたリモコンはそのまま使用できる。
【図面の簡単な説明】
【００２７】
【図１】本発明の衛生洗浄装置用表示部の設定レベル表示における点灯方法の第一実施例の図
【図２】本発明の衛生洗浄装置用表示部の例を示す平面図
【図３】本発明の衛生洗浄装置用表示部の例を示す断面図
【図４】本発明の第２実施例の設定レベル表示における点灯方法を示す図
【図５】設定レベル表示における点灯方法の参考例を示す図
【図６】袖操作部を備える衛生洗浄装置の一例を示す外観図
【図７】衛生洗浄装置本体とは別体の操作部を備えたリモコン装置が付属する衛生洗浄装置の一例を示す外観図
【図８】従来の衛生洗浄装置用表示部の設定レベル表示における点灯方法を示す図
【符号の説明】
【００２８】
１ａ，１ｂ，１ｃ，１ｄ，１ｅ…表示灯
２３，３１…表示灯
４ａ，４ｂ，４ｃ，４ｄ，４ｅ…表示灯
１１，２４，４１…表示部
２１…操作パネル
２２…スイッチ（操作部）
３２…ケーシング
３３…基板
３４…投光窓
５１…衛生洗浄装置
６１…衛生洗浄装置
６２…リモコン装置
７ａ，７ｂ，７ｃ，７ｄ，７ｅ…表示灯
【図１】
2005179961.tif 000003
【図２】
2005179961.tif 000004
【図３】
2005179961.tif 000005
【図４】
2005179961.tif 000006
【図５】
2005179961.tif 000007
【図６】
2005179961.tif 000008
【図７】
2005179961.tif 000009
【図８】
2005179961.tif 000010